(57)【要約】【課題】ＡＣ電源から完全に遮断された場合であっても、起動させることができる電気機器を提供する。【解決手段】ＣＰＵ１０７は、電源オン状態に移行した場合、スイッチＳＷ１を制御して、信号線７１を、起動用電力Ｍ１が供給される電力供給線に接続させる。起動用電力Ｍ１により、トランジスタＱ１がオン状態となり、主電源スイッチＳＷ３がオンされる。ＣＰＵ１５６は、電源部１５７からの電力供給を受けて起動すると、スイッチＳＷ２をオンさせ、起動用電力Ｍ２によってトランジスタＱ１のオン状態を維持させる。これにより、起動用電力Ｍ１が供給されない状態となっても、主電源スイッチＳＷ３のオン状態が維持される。【選択図】図３
2016148929.tif 000002
【特許請求の範囲】
【請求項１】
他の機器が接続されるインタフェースと、
前記インタフェースを介して前記他の機器と接続するための信号線と、
主電源からの電力供給をオンまたはオフする主電源スイッチと、
前記信号線から電力が供給された場合に前記主電源スイッチをオンさせる起動回路と、
前記主電源スイッチがオンとなって前記主電源からの電力供給を受けた場合に起動し、前記主電源スイッチのオン状態を維持させる制御部と、を備えたことを特徴とする電気機器。
【請求項２】
前記主電源から前記起動回路への電力供給をオンまたはオフする電力供給スイッチを備え、
前記制御部は、前記電力供給スイッチをオンさせることで、前記主電源スイッチのオン状態を維持させる請求項１に記載の電気機器。
【請求項３】
前記制御部は、前記主電源からの電力供給を受けた場合に、前記信号線を介して前記の機器に応答信号を送信することを特徴とする請求項１または請求項２に記載の電気機器。
【請求項４】
主電源からの電力供給により動作する制御部と、
他の機器が接続されるインタフェースと、
前記インタフェースを介して他の機器と接続するための信号線と、
前記信号線を、前記制御部に接続させる状態と、前記主電源からの電力を供給する電力供給線に接続させる状態と、を切り替える切り替えスイッチと、
を備え、
前記制御部は、起動時に前記切り替えスイッチを前記電力供給線に接続させる状態に移行させて前記他の機器に電力を供給させ、その後前記切り替えスイッチを前記制御部に接続させる状態に移行させて前記他の機器から応答信号を受信し、
該応答信号を受信した場合に、前記切り替えスイッチを前記制御部に接続させる状態に維持させることを特徴とする電気機器。
【請求項５】
請求項３に記載の電気機器からなる第１の機器と、該第１の機器に接続される第２の機器と、からなる電源連動システムであって、
前記第２の機器は、主電源からの電力供給により動作する第２制御部と、
前記第１の機器が接続される第２インタフェースと、
前記第２インタフェースを介して前記第１の機器と接続するための第２信号線と、
前記第２信号線を、前記第２制御部に接続させる状態と、前記主電源からの電力を供給する電力供給線に接続させる状態と、を切り替える切り替えスイッチと、
を備え、
前記第２制御部は、起動時に前記切り替えスイッチを前記電力供給線に接続させる状態に移行させて前記第１の機器に電力を供給させ、その後前記切り替えスイッチを前記第２制御部に接続させる状態に移行させて前記応答信号を受信し、
該応答信号を受信した場合に、前記切り替えスイッチを前記第２制御部に接続させる状態に維持させることを特徴とする電源連動システム。
【請求項６】
前記第２制御部は、スタンバイ状態への移行が指示された場合に、前記第１の機器に電源遮断指示を送信し、
前記第１の機器の制御部は、前記電源遮断指示を受信した場合、前記主電源スイッチのオン状態を解除させる請求項５に記載の電源連動システム。
【発明の詳細な説明】
【技術分野】
【０００１】
この発明は、ＡＣ電源からの電力供給により動作する電気機器に関する。
【背景技術】
【０００２】
ＡＣ電源からの電力供給を受けて動作する電気機器としては、例えばパワードスピーカがある。パワードスピーカは、ＡＣ電源からの電力供給を受けることで、大音量の音を出力することができる。
【０００３】
このようなパワードスピーカを用いて、例えばステレオ再生を行う場合、２台のパワードスピーカが必要になる。２台のパワードスピーカは、それぞれＡＣ電源に接続される必要がある。したがって、利用者は、各パワードスピーカの電源をそれぞれ手動でオフ状態としたり、オン状態としたりする必要があった。
【０００４】
そこで、例えば、特許文献１のパワードスピーカシステムは、外部からの制御信号に応じて遠隔操作による制御を行うことで、遠隔操作による電源制御を行っている。
【先行技術文献】
【特許文献】
【０００５】
【特許文献１】特開２００４−１０４６４９号公報
【発明の概要】
【発明が解決しようとする課題】
【０００６】
特許文献１のパワードスピーカシステムは、外部からの制御信号に応じて電源制御を行うため、機器がスタンバイ状態となっている必要がある。スタンバイ状態では、待機電力が必要であり、電源オフ状態（ＡＣ電源から完全に遮断された状態）ではない。消費電力を抑えるためにＡＣ電源から完全に遮断された状態とした場合、手動で電源をオンさせる必要が生じる。
【０００７】
そこで、この発明は、ＡＣ電源から完全に遮断された場合であっても、起動させることができる電気機器を提供することを目的とする。
【課題を解決するための手段】
【０００８】
本発明の電気機器は、他の機器が接続されるインタフェースと、前記インタフェースを介して前記他の機器と接続するための信号線と、主電源からの電力供給をオンまたはオフする主電源スイッチと、前記信号線から電力が供給された場合に前記主電源スイッチをオンさせる起動回路と、前記主電源スイッチがオンとなって前記主電源からの電力供給を受けた場合に起動し、前記主電源スイッチのオン状態を維持させる制御部と、を備えたことを特徴とする。
【０００９】
このように、本発明の電気機器は、他の機器と接続するための信号線から電力の供給を受けた場合に、主電源スイッチ（リレー）をオンさせるための起動回路を有するため、ＡＣ電源から完全に遮断された状態であっても起動させることができる。また、起動した後は主電源スイッチのオン状態が維持されるため、電力の供給を受けた信号線を通信用として用いることもでき、通信用の信号線と電源用の信号線と、を兼用することができ、他の機器との接続を１本のケーブルだけとすることもできる。
【００１０】
主電源スイッチのオン状態を維持させるためには、例えば主電源から起動回路への電力供給をオンまたはオフする電力供給スイッチを備え、制御部が、起動時に電力供給スイッチをオンさせることで実現することができる。
【００１１】
なお、制御部は、主電源からの電力供給を受けた場合に、信号線を介して他の機器に応答信号を送信することが好ましい。他の機器（第２の機器）においては、起動時に信号線を介して電力供給を行い、その後に当該信号線を第２の機器の制御部（第２制御部）に接続して応答信号を受信できる状態とする。第２の機器は、応答信号を受信した場合に、信号線を第２制御部に接続した状態を維持する。これにより、第１の機器が起動した後は、当該第１の機器に電力供給を行うための信号線を、通信用の信号線として用いることができる。
【発明の効果】
【００１２】
本発明によれば、ＡＣ電源から完全に遮断された場合であっても、起動させることができる。
【図面の簡単な説明】
【００１３】
【図１】パワードスピーカシステムの構成を示す概略図である。
【図２】パワードスピーカの構成をブロック図である。
【図３】電源連動を行うための構成を示す回路図である。
【図４】電源連動を行うための構成を示す回路図である。
【図５】電源連動を行うための構成を示す回路図である。
【図６】電源連動を行うための構成を示す回路図である。
【図７】電源連動を行うための構成を示す回路図である。
【図８】起動時のパワードスピーカの動作を示すフローチャートである。
【図９】終了時のパワードスピーカの動作を示すフローチャートである。
【発明を実施するための形態】
【００１４】
図１は、パワードスピーカシステム１の構成を示す概略図である。図１に示すように、パワードスピーカシステム１は、２つのパワードスピーカ（パワードスピーカ１０Ｌおよびパワードスピーカ１０Ｒ）を備えている。
【００１５】
パワードスピーカ１０Ｒは、本発明の電気機器（第１の機器）に相当し、パワードスピーカ１０Ｌは、第２の機器に相当する。
【００１６】
図２は、パワードスピーカ１０Ｌおよびパワードスピーカ１０Ｒの構成を示すブロック図である。
【００１７】
パワードスピーカ１０Ｌは、入力部１０１、ＤＡコンバータ（ＤＡＣ）１０２、ボリューム（Ｖｏｌｕｍｅ）１０３、アンプ（Ａｍｐ）１０４、スピーカユニット１０５、ＵＳＢインタフェース１０６、制御部（ＣＰＵ）１０７、および電源部１０８を備えている。
【００１８】
パワードスピーカ１０Ｒは、ＵＳＢインタフェース１５１、ＤＡＣ１５２、Ｖｏｌｕｍｅ１５３、Ａｍｐ１５４、スピーカユニット１５５、ＣＰＵ１５６、および電源部１５７を備えている。
【００１９】
パワードスピーカ１０ＬのＵＳＢインタフェース１０６には、ＵＳＢケーブル２１が接続される。同じく、パワードスピーカ１０ＲのＵＳＢインタフェース１５１は、ＵＳＢケーブル２１が接続される。パワードスピーカ１０Ｌおよびパワードスピーカ１０Ｒは、ＵＳＢケーブル２１を介して互いに接続される。
【００２０】
パワードスピーカ１０Ｌは、コンセントプラグ３１Ｌを備え、当該コンセントプラグ３１Ｌを介してＡＣ電源に接続される。電源部１０８は、コンセントプラグ３１Ｌを介してＡＣ電源から供給される電力を直流に変換し、ＤＣ電源としてＣＰＵ１０７等の各ハードウェアに供給する。
【００２１】
パワードスピーカ１０Ｒは、コンセントプラグ３１Ｒを備え、当該コンセントプラグ３１Ｒを介してＡＣ電源に接続される。電源部１５７は、コンセントプラグ３１Ｒを介してＡＣ電源から供給される電力を直流に変換し、ＤＣ電源としてＣＰＵ１５６等の各ハードウェアに供給する。
【００２２】
パワードスピーカ１０Ｌの入力部１０１には、コンテンツに係るデータ（例えばＭＰ３等のオーディオデータ）が入力される。入力部１０１は、ネットワークインタフェース（ＬＡＮ端子または無線ＬＡＮ機能部等）、またはＵＳＢインタフェース等の各種入力インタフェースを有する。入力部１０１は、入力されたコンテンツに係るデータをデコードしてデジタルオーディオ信号を抽出する。この例では、２チャンネル（ＬチャンネルおよびＲチャンネル）のデジタルオーディオ信号を抽出する。Ｌチャンネルのデジタルオーディオ信号は、ＤＡＣ１０２に出力される。Ｒチャンネルのデジタルオーディオ信号は、ＵＳＢインタフェース１０６およびＵＳＢケーブル２１を介してパワードスピーカ１０Ｒに出力される。
【００２３】
なお、この例では、コンテンツに係るデータを入力して、入力部１０１でデジタルオーディオ信号を抽出する例を示したが、デジタルオーディオ端子等のインタフェースを介して、デジタルオーディオ信号を入力する態様としてもよい。また、アナログオーディオ端子を設け、アナログオーディオ信号を入力する態様としてもよい。
【００２４】
ＤＡＣ１０２に出力されたデジタルオーディオ信号は、アナログオーディオ信号に変換される。アナログオーディオ信号は、Ｖｏｌｕｍｅ１０３で信号レベルが調整され、Ａｍｐ１０４で増幅される。増幅されたアナログオーディオ信号は、スピーカユニット１０５に出力され、放音される。
【００２５】
Ｒチャンネルのデジタルオーディオ信号は、パワードスピーカ１０ＲのＵＳＢインタフェース１５１に入力され、ＤＡＣ１５２に出力される。ＤＡＣ１５２に出力されたデジタルオーディオ信号は、アナログオーディオ信号に変換される。アナログオーディオ信号は、Ｖｏｌｕｍｅ１５３で信号レベルが調整され、Ａｍｐ１５４で増幅される。増幅されたアナログオーディオ信号は、スピーカユニット１５５に出力され、放音される。
【００２６】
パワードスピーカシステム１は、パワードスピーカ１０Ｒが電源オフ状態（ＡＣ電源から完全に遮断された状態）であっても、パワードスピーカ１０Ｌの電源オンに連動してパワードスピーカ１０Ｒの電源をオンすることができる電源連動システムを実現する。以下、図３乃至図９を用いて電源連動システムについて説明する。
【００２７】
図３乃至図７は、電源連動を行うための構成を示す回路図である。図８は、起動時の動作を示すフローチャートである。図９は、終了時の動作を示すフローチャートである。
【００２８】
図３は、パワードスピーカ１０Ｌが電源オフ状態（またはスタンバイ状態）であり、パワードスピーカ１０Ｒが電源オフ状態である場合の回路図である。
【００２９】
図３に示すように、パワードスピーカ１０Ｌの電源部１０８は、トランス８１を備えている。トランス８１は、主電源（ＡＣ電源）から各種ハードウェアに供給するための電力が取り出される。取り出された電力は、整流平滑回路８２でＤＣ電源に変換され、各種ハードウェアに供給される。
【００３０】
また、トランス８１からは、主たる供給電力とは別の電力が取り出され、整流平滑回路８３を経て低電圧（例えば３．３Ｖ程度）の起動用電力Ｍ１が取り出される。起動用電力Ｍ１は、スイッチＳＷ１に供給される。
【００３１】
ＵＳＢケーブル２１は、複数の信号線（４つの信号線）を有する。この例では、４つの信号線は、それぞれオーディオ信号供給線（ＳＰＤＩＦ）、接地線（ＧＮＤ）、ＣＰＵ１０７における送信（ＴＸ）用の信号線、およびＣＰＵ１０７における受信（ＲＸ）用の信号線を構成する。オーディオ信号供給線（ＳＰＤＩＦ）は、ＵＳＢインタフェース１０６およびＵＳＢインタフェース１５１を介して、入力部１０１からＤＡＣ１５２にＲチャンネルのデジタルオーディオ信号を供給する。
【００３２】
スイッチＳＷ１は、ＵＳＢインタフェース１０６とＣＰＵ１０７における受信（ＲＸ）用の端子との間に挿入されている。スイッチＳＷ１は、切り替えスイッチであり、ＵＳＢインタフェース１０６における受信用の信号線７１をＣＰＵ１０７の受信（ＲＸ）用の端子に接続させる状態（状態１）と、当該受信用の信号線７１を電源部１０８の起動用電力Ｍ１が供給される電力供給線に接続させる状態（状態２）と、を切り替えるものである。スイッチＳＷ１を状態２とした場合、当該信号線７１は、電力供給線として機能し、パワードスピーカ１０Ｒに起動用電力Ｍ１を供給する。
【００３３】
スイッチＳＷ１は、図３においては、状態１となっている。ＣＰＵ１０７は、電源オフ状態から電源オン状態に移行した場合（またはスタンバイが解除された場合）、図４に示すように、スイッチＳＷ１を状態１から状態２に移行させる。
【００３４】
スイッチＳＷ１が状態２に移行すると、パワードスピーカ１０Ｒにおける送信用の信号線７２には、起動用電力Ｍ１が供給される。すると、当該起動用電力Ｍ１による電圧がトランジスタＱ１のベースに印加され、トランジスタＱ１がオンする。これにより、トランジスタＱ１のコレクタに接続されたリレーがオン状態となる。当該リレーは、電源部１５７のＡＣ電源側の主電源スイッチＳＷ３に相当し、トランジスタＱ１がオンすることで、図５に示すように、当該主電源スイッチＳＷ３がオンされる。すなわち、トランジスタＱ１は、信号線７１および信号線７２からの供給電力に連動して主電源スイッチＳＷ３をオンさせる起動回路として機能する。
【００３５】
このようにして、パワードスピーカ１０Ｒは電源オン状態に移行して、電源部１５７からＣＰＵ１５６等の各ハードウェアに電力が供給される。そして、ＣＰＵ１５６は、主電源である電源部１５７からの電力供給を受けて起動すると、主電源スイッチＳＷ３のオン状態を維持する動作を行う。
【００３６】
この例では、電源部１５７は、各種ハードウェアに供給するための電力とは別に、低電圧（例えば起動用電力Ｍ１と同じ３．３Ｖ程度）の起動用電力Ｍ２を出力する。この起動用電力Ｍ２は、スイッチＳＷ２に接続されている。スイッチＳＷ２は、本発明の電力供給スイッチに相当し、図５に示す状態ではオフとなっている。ＣＰＵ１４６は、電源部１５７からの電力供給を受けて起動した後、図６に示すように、スイッチＳＷ２をオンさせる。すると、起動用電力Ｍ２による電圧がトランジスタＱ１のベースに印加され、トランジスタＱ１のオン状態が維持される。これにより、起動用電力Ｍ１が供給されない状態となっても、トランジスタＱ１のオン状態が維持され、主電源スイッチＳＷ３のオン状態が維持される。
【００３７】
ただし、このままでは通信用の信号線７１および信号線７２が電源供給線として機能していて、通信線として機能していない状態となっている。そこで、ＣＰＵ１０７およびＣＰＵ１５６は、図８のフローチャートに示す動作を行う。
【００３８】
図８に示すように、パワードスピーカ１０ＬのＣＰＵ１０７は、電源オフ状態から電源オン状態に移行した場合、またはスタンバイが解除された場合（ｓ１１）、スイッチＳＷ１の状態を、所定時間毎（例えば１秒毎）に変化させ、状態１と状態２とを交互に変化させる（ｓ１２）。その後、ＣＰＵ１０７は、ＴＸに接続された送信用の信号線を用いてパワードスピーカ１０Ｒに対して応答要求を送信する（ｓ１３）。
【００３９】
パワードスピーカ１０ＲのＣＰＵ１５６は、電源オフ状態から電源オン状態に移行した場合（ｓ２１）、上述したようにスイッチＳＷ２をオンさせる（ｓ２２）。その後、ＣＰＵ１５６は、パワードスピーカ１０Ｌから応答要求を受信したか否かを確認し（ｓ２３）、応答要求を受信した場合には、信号線７２を介して応答信号を送信する（ｓ２４）。
【００４０】
ＣＰＵ１０７は、パワードスピーカ１０Ｒに応答要求を送信した後、応答信号を受信したか否かを確認する（ｓ１４）。ＣＰＵ１０７は、応答信号を受信するまでは応答要求の送信を繰り返す。ＣＰＵ１０７は、応答信号を受信した場合、スイッチＳＷ１の状態を状態１に固定して、信号線７１をＣＰＵ１０７のＲＸに接続させた状態で固定する（ｓ１５）。これにより、図７に示すように、信号線７１および信号線７２が通信線として機能する状態が維持される。
【００４１】
次に、図９は、終了時のパワードスピーカの動作を示すフローチャートである。ＣＰＵ１０７は、ユーザがスタンバイスイッチ（不図示）等を操作して、スタンバイ状態への移行が指示されたか否かを確認する（ｓ３１）。ＣＰＵ１０７は、スタンバイ状態への移行が指示された場合、パワードスピーカ１０Ｒに電源遮断指示を送信して（ｓ３２）、スタンバイ状態に移行する（ｓ３３）。
【００４２】
ＣＰＵ１５６は、パワードスピーカ１０Ｌから電源遮断指示を受信したか否かを確認する（ｓ４１）。ＣＰＵ１５６は、パワードスピーカ１０Ｌから電源遮断指示を受信した場合、スイッチＳＷ２をオフさせる（ｓ４２）。これにより、トランジスタＱ１がオフされ、主電源スイッチＳＷ３がオフされることになり、ＡＣ電源から完全に遮断された状態となる。したがって、図３に示した回路の状態に移行することになる。
【００４３】
パワードスピーカ１０Ｒは、ＡＣ電源から完全に遮断された状態となるため、スタンバイ状態よりもさらに省電力の状態になる（消費電力はほぼ０となる）。そして、このような電源オフ状態であっても、パワードスピーカ１０Ｌが電源オン状態に移行すれば、当該パワードスピーカ１０Ｌの電源オンに連動して、パワードスピーカ１０Ｒも電源オン状態に移行し、起動させることができる。したがって、パワードスピーカ１０Ｌおよびパワードスピーカ１０Ｒは、ＵＳＢケーブル１本のみでデジタルオーディオ信号の送受信、制御信号の送受信、および電源連動の動作を実現することができる。
【００４４】
なお、本実施形態においては、第１の機器と第２の機器との接続として、ＵＳＢの規格に応じたインタフェースおよびケーブルを用いる例を示したが、例えばＨＤＭＩ（登録商標）等の他の規格のインタフェースおよびケーブルを用いることが可能であるし、専用のインタフェースおよびケーブルを用いることも可能である。
【００４５】
また、本実施形態においては、第１の機器および第２の機器としてパワードスピーカを例示し、ステレオチャンネルのオーディオ信号を出力する構成を例示したが、他の電気機器を用いた電源連動システムを構築することも可能である。例えば第１の機器として低音域再生用のサブウーファを適用し、第２の機器として中高音域再生用のメインスピーカ（レシーバ機能を内蔵したもの。）を適用することができる。この場合、サブウーファの電源をオフ状態としても、メインスピーカの起動に連動してサブウーファを起動させることができる。また、例えば第１の機器としてテレビを適用し、第２の機器としてレコーダを適用することもできる。この場合、テレビの電源をオフ状態としても、レコーダの起動に連動してテレビを起動させることができる。
【符号の説明】
【００４６】
１…パワードスピーカシステム
１０Ｌ，１０Ｒ…パワードスピーカ
２１…ＵＳＢケーブル
３１Ｌ，３１Ｒ…コンセントプラグ
７１，７２…信号線
Ｑ１…トランジスタ
ＳＷ１…スイッチ
ＳＷ２…スイッチ
ＳＷ３…主電源スイッチ
１０１…入力部
１０２…ＤＡＣ
１０３…Ｖｏｌｕｍｅ
１０４…Ａｍｐ
１０５…スピーカユニット
１０６…ＵＳＢインタフェース
１０７…ＣＰＵ
１０８…電源部
１５１…ＵＳＢインタフェース
１５２…ＤＡＣ
１５３…Ｖｏｌｕｍｅ
１５４…Ａｍｐ
１５５…スピーカユニット
１５６…ＣＰＵ
１５７…電源部
【図１】
2016148929.tif 000003
【図２】
2016148929.tif 000004
【図３】
2016148929.tif 000005
【図４】
2016148929.tif 000006
【図５】
2016148929.tif 000007
【図６】
2016148929.tif 000008
【図７】
2016148929.tif 000009
【図８】
2016148929.tif 000010
【図９】
2016148929.tif 000011